(57)【要約】【課題】融着接続を無くし、コネクタ接続箇所を減らせる成端処理を実現させる。【解決手段】本発明は、複数の光ファイバを含む光ファイバケーブルを把持するためのケーブル把持部と、挿入穴に前記光ファイバを挿入した保護チューブを複数把持するためのチューブ把持部とを備えた分岐構造体である。このような分岐構造体によれば、融着接続を無くしコネクタ接続箇所を減らせる成端処理を実現できる。また、その際に、光ファイバケーブルの口出し部と保護チューブとの間で分岐している光ファイバを固定できる。【選択図】図５
2014126667.tif 000002
【特許請求の範囲】
【請求項１】
複数の光ファイバを含む光ファイバケーブルを把持するためのケーブル把持部と、
挿入穴に前記光ファイバを挿入した保護チューブを複数把持するためのチューブ把持部と
を備えた分岐構造体。
【請求項２】
請求項１に記載の分岐構造体であって、
前記保護チューブは、抗張力体を有することを特徴とする分岐構造体。
【請求項３】
請求項１又は２に記載の分岐構造体であって、
前記チューブ把持部に把持される前記保護チューブの端部を案内するガイド部を更に有することを特徴とする分岐構造体。
【請求項４】
請求項３に記載の分岐構造体であって、
前記ガイド部は、ケーブル側ガイド壁とチューブ側ガイド壁とを有しており、前記ケーブル側ガイド壁と前記チューブ側ガイド壁との間に隙間が形成されていることを特徴とする分岐構造体。
【請求項５】
請求項１〜４のいずれかに記載の分岐構造体であって、
前記ケーブル把持部は、
前記光ファイバケーブルの方向と垂直な方向に沿うケーブル用凸条を有するとともに、
前記光ファイバケーブルを把持させるときに、前記ケーブル用凸条に沿う方向から前記光ファイバケーブルを差し込めるように構成されている
ことを特徴とする分岐構造体。
【請求項６】
請求項１〜５のいずれかに記載の分岐構造体であって、
前記チューブ把持部は、
前記保護チューブの方向と垂直な方向に沿うチューブ用凸条を有するとともに、
前記保護チューブを把持させるときに、前記チューブ用凸条に沿う方向から前記保護チューブを差し込めるように構成されている
ことを特徴とする分岐構造体。
【請求項７】
請求項１〜６のいずれかに記載の分岐構造体であって、
前記チューブ把持部は、
一対の外壁と、一対の外壁の間に形成された複数の隔壁とを有し、
前記外壁と前記隔壁との間、及び、前記隔壁と前記隔壁との間に、それぞれ複数の前記保護チューブを並べて把持できる
ことを特徴とする分岐構造体。
【請求項８】
請求項１〜７のいずれかに記載の分岐構造体であって、
前記光ファイバケーブルの口出し部と前記保護チューブとの間の前記光ファイバを覆うためのカバーを更に備えることを特徴とする分岐構造体
【請求項９】
請求項８に記載の分岐構造体であって、
前記カバーは、前記分岐構造体を取り付け面に取り付けたときに、取り付け面とは反対側から前記光ファイバを覆うように取り付けられることを特徴とする分岐構造体。
【請求項１０】
請求項１〜７のいずれかに記載の分岐構造体であって、
前記分岐構造体を取り付け面に取り付けたときに、前記取り付け面との間で前記光ファイバケーブル及び前記保護チューブを挟み込むように構成されていることを特徴とする分岐構造体。
【請求項１１】
請求項１〜１０のいずれかに記載の分岐構造体であって、
前記ケーブル把持部には、前記光ファイバケーブルを押し込むためのケーブル用凹部が形成されていることを特徴とする分岐構造体。
【請求項１２】
請求項１〜１１のいずれかに記載の分岐構造体であって、
前記チューブ把持部には、前記保護チューブを押し込むためのチューブ用凹部が形成されていることを特徴とする分岐構造体。
【請求項１３】
光ファイバを挿入する挿入穴を有する保護チューブと、
複数の光ファイバを含む光ファイバケーブルを把持するためのケーブル把持部と、前記保護チューブを複数把持するためのチューブ把持部とを備えた分岐構造体と
を備えた成端処理用キット。
【請求項１４】
複数の光ファイバを含む光ファイバケーブルから前記光ファイバを口出しする工程と、
分岐構造体のケーブル把持部に前記光ファイバケーブルを把持させる工程と、
保護チューブの挿入穴に前記光ファイバを挿入する工程と、
前記分岐構造体のチューブ把持部に、前記光ファイバを挿入した前記保護チューブを複数把持させる工程と、
前記チューブ把持部とは逆側の前記保護チューブの端部にコネクタを取り付ける工程と
を有することを特徴とする光ファイバケーブルの成端方法。
【発明の詳細な説明】
【技術分野】
【０００１】
本発明は、分岐構造体、成端処理用キット及び光ファイバケーブルの成端方法に関する。
【背景技術】
【０００２】
多心の光ファイバケーブル（例えばドロップケーブルやインドアケーブルなど）の成端処理では、光ファイバケーブルから分離された複数の光ファイバのそれぞれにコネクタ付き光ファイバを接続する場合や、光ファイバケーブルにコネクタ付きの光ファイバ分岐コード（ＦＯ（ファンナウト）コード）を接続する場合などがある。光ファイバケーブルに接続されたコネクタ付き光ファイバのコネクタは、アダプタを介して導出コードと接続されることになる。
【０００３】
特許文献１〜３には、一端又は両端にコネクタの付いた光ファイバ分岐コードやその製造方法が記載されている。
【先行技術文献】
【特許文献】
【０００４】
【特許文献１】特開平０８−２７８４３１号公報
【特許文献２】特開平０６−１１８２８２号公報
【特許文献３】特開２００２−２６７８８１号公報
【発明の概要】
【発明が解決しようとする課題】
【０００５】
一端にコネクタの付いた光ファイバ（ピグテール）を光ファイバケーブルに接続する場合には、一般的に融着接続が採用されている。但し、この場合、融着トレイ等の保護ケースを用いて融着箇所を保護する必要がある。  
また、両端にコネクタの付いた光ファイバを接続する場合には、コネクタ接続が行われることになる。但し、この場合、接続損失が大きくなる。
【０００６】
本発明は、上記の課題を解決した多心の光ファイバケーブルの成端処理に用いられる新規な分岐構造体及び成端処理用キットを提供することを目的とする。また、本発明は、上記の課題を解決した多心の光ファイバケーブルの成端方法を提供することを目的とする。
【課題を解決するための手段】
【０００７】
上記目的を達成するための主たる発明は、複数の光ファイバを含む光ファイバケーブルを把持するためのケーブル把持部と、挿入穴に前記光ファイバを挿入した保護チューブを複数把持するためのチューブ把持部とを備えた分岐構造体である。
【０００８】
本発明の他の特徴については、後述する明細書及び図面の記載により明らかにする。
【発明の効果】
【０００９】
本発明によれば、融着接続を無くしコネクタ接続箇所を減らせる成端処理を実現できる。
【図面の簡単な説明】
【００１０】
【図１】図１は、成端処理された光ファイバケーブル１の概要説明図である。
【図２】図２Ａは、光ファイバケーブル１の構成を説明するための斜視図である。図２Ｂは、光ファイバケーブル１の断面図である。
【図３】図３Ａは、保護チューブ２の構成を説明するための斜視図である。図３Ｂは、保護チューブ２の断面図である。
【図４】図４Ａは、分岐構造体５の全体斜視図である。図４Ｂは、使用時の分岐構造体５の斜視図である。
【図５】図５は、分岐構造体５の分解図である。
【図６】図６は、分岐構造体５を構成する本体５０の斜視図である。
【図７】図７Ａは、カバー６０を斜め上から見た斜視図である。図７Ｂは、カバー６０を斜め下から見た斜視図である。
【図８】図８は、光ファイバケーブル１の成端処理のフロー図である。
【図９】図９は、光ファイバケーブル１の成端処理の様子の概要説明図である。
【図１０】図１０は、光ファイバケーブル１の成端処理の様子の概要説明図である。
【図１１】図１１は、第２実施形態の分岐構造体５の本体５０の斜視図である。
【図１２】図１２は、第３実施形態の分岐構造体５の本体５０の斜視図である。
【図１３】図１３は、第４実施形態の分岐構造体５（本体５０）の斜視図である。
【発明を実施するための形態】
【００１１】
後述する明細書及び図面の記載から、少なくとも以下の事項が明らかとなる。
【００１２】
複数の光ファイバを含む光ファイバケーブルを把持するためのケーブル把持部と、挿入穴に前記光ファイバを挿入した保護チューブを複数把持するためのチューブ把持部とを備えた分岐構造体が明らかとなる。  
このような分岐構造体によれば、融着接続を無くしコネクタ接続箇所を減らせる成端処理を実現できる。また、その際に、光ファイバケーブルの口出し部と保護チューブとの間で分岐している光ファイバを固定できる。
【００１３】
前記保護チューブは、抗張力体を有することが望ましい。これにより、チューブ把持部が保護チューブを把持しても、その把持力によって光ファイバに負荷がかかることを軽減できる。
【００１４】
前記チューブ把持部に把持される前記保護チューブの端部を案内するガイド部を更に有することが望ましい。これにより、光ファイバの曲率半径が小さくなることを抑制できる。
【００１５】
前記ガイド部は、ケーブル側ガイド壁とチューブ側ガイド壁とを有しており、前記ケーブル側ガイド壁と前記チューブ側ガイド壁との間に隙間が形成されていることが望ましい。これにより、成端処理時に光ファイバを隙間から外部に一時的に逃がすことができる。
【００１６】
前記ケーブル把持部は、前記光ファイバケーブルの方向と垂直な方向に沿うケーブル用凸条を有するとともに、前記光ファイバケーブルを把持させるときに、前記ケーブル用凸条に沿う方向から前記光ファイバケーブルを差し込めるように構成されていることが望ましい。これにより、把持された光ファイバケーブルが抜けにくい構造であるにもかかわらず、光ファイバケーブルをケーブル把持部に差し込むことは容易である。
【００１７】
前記チューブ把持部は、前記保護チューブの方向と垂直な方向に沿うチューブ用凸条を有するとともに、前記保護チューブを把持させるときに、前記チューブ用凸条に沿う方向から前記保護チューブを差し込めるように構成されていることが望ましい。これにより、把持された保護チューブが抜けにくい構造であるにもかかわらず、保護チューブをチューブ把持部に差し込むことは容易である。
【００１８】
前記チューブ把持部は、一対の外壁と、一対の外壁の間に形成された複数の隔壁とを有し、前記外壁と前記隔壁との間、及び、前記隔壁と前記隔壁との間に、それぞれ複数の前記保護チューブを並べて把持できることが望ましい。これにより、分岐構造体の小型化が可能にある。
【００１９】
前記光ファイバケーブルの口出し部と前記保護チューブとの間の前記光ファイバを覆うためのカバーを更に備えることが望ましい。これにより、光ファイバが保護される。
【００２０】
前記カバーは、前記分岐構造体を取り付け面に取り付けたときに、取り付け面とは反対側から前記光ファイバを覆うように取り付けられることが望ましい。これにより、成端処理が便利になる。
【００２１】
前記分岐構造体を取り付け面に取り付けたときに、前記取り付け面との間で前記光ファイバケーブル及び前記保護チューブを挟み込むように構成されていることが望ましい。これにより、カバーが無くても光ファイバが保護される。
【００２２】
前記ケーブル把持部には、前記光ファイバケーブルを押し込むためのケーブル用凹部が形成されていることが望ましい。これにより、光ファイバケーブルをケーブル把持部に差し込みやすくなる。
【００２３】
前記チューブ把持部には、前記保護チューブを押し込むためのチューブ用凹部が形成されていることが望ましい。これにより、保護チューブをチューブ把持部に差し込みやすくなる。
【００２４】
光ファイバを挿入する挿入穴を有する保護チューブと、複数の光ファイバを含む光ファイバケーブルを把持するためのケーブル把持部と前記保護チューブを複数把持するためのチューブ把持部とを備えた分岐構造体とを備えた成端処理用キットが明らかになる。このような成端処理用キットによれば、融着接続を無くしコネクタ接続箇所を減らせる成端処理を実現できる。また、その際に、光ファイバケーブルの口出し部と保護チューブとの間で分岐している光ファイバを固定できる。
【００２５】
複数の光ファイバを含む光ファイバケーブルから前記光ファイバを口出しする工程と、分岐構造体のケーブル把持部に前記光ファイバケーブルを把持させる工程と、保護チューブの挿入穴に前記光ファイバを挿入する工程と、前記分岐構造体のチューブ把持部に、前記光ファイバを挿入した前記保護チューブを複数把持させる工程と、前記チューブ把持部とは逆側の前記保護チューブの端部にコネクタを取り付ける工程とを有することを特徴とする光ファイバケーブルの成端方法が明らかになる。このような成端方法によれば、融着接続を無くし、コネクタ接続箇所を減らすことができる。また、その際に、光ファイバケーブルの口出し部と保護チューブとの間で分岐している光ファイバを固定できる。
【００２６】
＝＝＝第１実施形態＝＝＝
＜概要＞
図１は、成端処理された光ファイバケーブル１の概要説明図である。図２Ａは、光ファイバケーブル１の構成を説明するための斜視図である。図２Ｂは、光ファイバケーブル１の断面図である。
【００２７】
光ファイバケーブル１は、光ファイバ１１の引き込みに用いられる光ケーブルであり、例えばドロップケーブルやインドアケーブルである。光ファイバケーブル１は、複数の光ファイバ１１と、テンションメンバ１２（抗張力体）と、これらを被覆するシース１３とを備えている。図２Ａ及び図２Ｂに示す光ファイバケーブル１は、支持線が無く、主に屋内の支線系に用いられるインドアケーブルである。なお、支持線の連結された屋外用のドロップケーブルの場合であっても、支持線を分離すれば、図２Ａ及び図２Ｂと同様の状態になる。
【００２８】
図２Ａ及び図２Ｂに示す光ファイバケーブル１は、２つの４心テープ心線を備えており、計８本の光ファイバ１１を備えている。但し、図１では簡略化のため４本の光ファイバ１１だけを示している。なお、光ファイバケーブル１の光ファイバ１１の数は、４本や８本に限られない。また、テープ心線ではなく単心線の形態で複数の光ファイバ１１が光ファイバケーブル１に配置されても良い。
【００２９】
テンションメンバ１２は、光ファイバ１１の歪みや曲げを抑制するための抗張力体である。光ファイバケーブル１には、複数の光ファイバ１１を挟むように一対のテンションメンバ１２が配置されている。但し、テンションメンバ１２の数は２つに限られない。
【００３０】
テンションメンバ１２には、メタリックタイプと、ノンメタリックタイプがある。メタリックタイプのテンションメンバ１２の場合にはアースが必要になるため、ここでは非導電性のＦＲＰを用いたノンメタリックタイプのテンションメンバ１２が用いられている。
【００３１】
光ファイバケーブル１の断面は、扁平状である。扁平状の光ファイバケーブル１の両面にはノッチ１３Ａが形成されている。シース１３にノッチ１３Ａが形成されることによって、シース１３を引き裂きやすくなり、光ファイバ１１の口出しが容易になる。
【００３２】
光ファイバケーブル１から口出しした光ファイバ１１（光ファイバ素線）は、保護チューブ２に挿入され、保護チューブ２によって保護されている。これにより、光ファイバ１１の露出を防ぎ、光ファイバ１１の損傷を抑制できる。
【００３３】
保護チューブ２の先には、保護チューブ２から出ている光ファイバ１１に対してコネクタ３が取り付けられている。このコネクタ３は、例えば外被把持型のＳＣコネクタであり、現地で取り付けられたものである。コネクタ３は、アダプタを介して導出コードと接続されることになる。
【００３４】
図１に示す成端処理によれば、光ファイバ１１を融着接続する箇所がないので、融着箇所を保護する融着トレイが不要である。また、光ファイバケーブル１の光ファイバ１１にコネクタ３を取り付けているため、コネクタ接続する箇所が減り、接続損失を抑制できる。
【００３５】
上記の成端処理では、光ファイバケーブル１の端部が分岐構造体５に把持され、口出しされた光ファイバ１１を保護する保護チューブ２の一端が分岐構造体５に把持されている。これにより、分岐構造体５において分岐している光ファイバ１１が固定される。分岐構造体５については、後述する。
【００３６】
図３Ａは、保護チューブ２の構成を説明するための斜視図である。図３Ｂは、保護チューブ２の断面図である。
【００３７】
保護チューブ２は、光ファイバケーブル１から口出しした光ファイバ１１を保護するためのチューブである。保護チューブ２は、挿入穴２１と、テンションメンバ２２と、外被２３とを備えている。なお、保護チューブ２は、光ファイバが無いことを除き、一般的なテンションメンバ入り単心インドアケーブルと同じ構造・材質であり、インドアケーブルの製造設備があれば保護チューブ２を容易に製造することができる。
【００３８】
挿入穴２１は、光ファイバ１１を挿入するための穴である。挿入穴２１は、光ファイバケーブル１から口出しした光ファイバ１１よりも径が大きい。例えば、光ファイバ１１の直径は０．２５ｍｍであり、挿入穴２１の径は０．５ｍｍである。挿入穴２１が光ファイバ１１の直径よりも２倍の直径を有するため、作業現場において光ファイバ１１を容易に挿入しやすい。
【００３９】
テンションメンバ２２は、挿入穴２１に挿入された光ファイバ１１の歪みや曲げを抑制するための抗張力体である。保護チューブ２には、挿入穴２１を挟むように一対のテンションメンバ２２が配置されている。但し、テンションメンバ２２の数は２つに限られない。なお、ここでは、非導電性のＦＲＰを用いたノンメタリックタイプのテンションメンバ２２が用いられている。
【００４０】
保護チューブ２の断面は、扁平状である。扁平状の保護チューブ２の両面にはノッチ２３Ａが形成されている。外被２３にノッチ２３Ａが形成されることによって、外被２３を引き裂きやすくなり、保護チューブ２からの光ファイバ１１の口出しが容易になる。
【００４１】
＜分岐構造体５＞
図４Ａは、分岐構造体５の全体斜視図である。図４Ｂは、使用時の分岐構造体５の斜視図である。なお、図４Ｂでは、図面の簡略化のため保護チューブ２が２つだけ描かれているが、実際には保護チューブは８つある。図５は、分岐構造体５の分解図である。
【００４２】
以下の説明では、図示するように、各方向を定義する。すなわち、分岐構造体５を取り付ける取り付け面に垂直な方向を「上下方向」とし、取り付け面から見て分岐構造体５の側を「上」とし、逆側を「下」とする。つまり、分岐構造体５の本体５０から見てカバー６０の側が「上」となり、逆側が「下」となる。また、分岐構造体５に把持される光ファイバケーブル１の方向を「前後方向」とし、光ファイバケーブル１から見て口出しされた側を「前」とし、逆側を「後」とする。また、上下方向及び前後方向に垂直な方向を「左右方向」とし、前から見たときの方向に従って「右」と「左」を定義する。
【００４３】
分岐構造体５は、本体５０と、カバー６０とを有する。分岐構造体５は、金属製のキャビネット（成端箱）に分岐構造体５を吸着させるためのマグネットユニット７０を更に有する。
【００４４】
・本体５０
図６は、分岐構造体５を構成する本体５０の斜視図である。
【００４５】
本体５０は、光ファイバケーブル１を把持すると共に、光ファイバケーブル１から分岐された光ファイバ１１を挿入した保護チューブ２を把持するための部材である。本体５０は、ベース５１と、ケーブル把持部５２と、チューブ把持部５３と、ガイド部５４とを有する。本体５０は樹脂で成型されており、本体５０を構成する各部位（ベース５１、ケーブル把持部５２、チューブ把持部５３及びガイド部５４）は一体的に形成されている。
【００４６】
ベース５１は、取り付け面に平行な板状の基台である。ベース５１の上側に、ケーブル把持部５２、チューブ把持部５３及びガイド部５４が構成されている。ベース５１をネジで取り付け面に直接取り付けることが可能である（但し、ここでは、ベース５１の下面にマグネットユニット７０を取り付けて、マグネット７１で金属製のキャビネット（成端箱）の取り付け面に本体５０を吸着させる）。
【００４７】
ケーブル把持部５２は、光ファイバケーブル１を把持する部位である。ケーブル把持部５２は、一対の外壁５２１を有している。外壁５２１は、ベース５１の後側の上面から上側に突出した板状の部位である。一対の外壁５２１の間には、光ファイバケーブル１の厚さに相当する間隔が空いている。一対の外壁５２１の間の隙間が、光ファイバケーブル１を配置するための通路となる。また、一対の外壁５２１は、左右方向から対向するように配置されている。一対の外壁５２１が左右方向に対向しているので、一対の外壁５２１に把持される光ファイバケーブル１は、前後方向に沿うことになる。外壁５２１の外側には、カバー６０を取り付けるための後側引掛部５２１Ａが形成されている。外壁５２１の内側には、多数のケーブル用凸条５２３が形成されている。
【００４８】
ケーブル用凸条５２３は、筋状の凸部であり、ケーブル把持部５２から光ファイバケーブル１が外れることを抑制するための部位である。ケーブル用凸条５２３が上下方向に沿って形成されているため、ケーブル把持部５２に把持された光ファイバケーブル１が前後方向（ケーブル用凸条５２３と垂直な方向）にズレ難くなる。一方、ケーブル用凸条５２３が上下方向に沿って形成されているため、ケーブル把持部５２の一対の外壁５２１の間へ上から光ファイバケーブル１を差し込むことは容易である。なお、カバー６０が取り付けられることによって、ケーブル把持部５２に把持された光ファイバケーブル１が上にズレて抜けることは防止される。
【００４９】
外壁５２１のケーブル用凸条５２３同士が対向するように、それぞれの外壁５２１のケーブル用凸条５２３が形成されている。つまり、一方の外壁５２１のケーブル用凸条５２３の前後方向の位置と、他方の外壁５２１のケーブル用凸条５２３の前後方向の位置が同じになっている。これにより、光ファイバケーブル１が、左右からケーブル用凸条５２３に挟まれて、真っ直ぐな状態でケーブル把持部５２に把持される。仮に一方の外壁５２１のケーブル用凸条５２３と他方の外壁５２１のケーブル用凸条５２３とが対向せずに、一方の外壁５２１のケーブル用凸条５２３の前後方向の位置と他方の外壁５２１のケーブル用凸条５２３の前後方向の位置とが異なっていると、光ファイバケーブル１がジグザグに屈曲した状態でケーブル把持部５２に把持されてしまう。
【００５０】
チューブ把持部５３は、光ファイバ１１を挿入した複数の保護チューブ２を把持する部位である。チューブ把持部５３は、一対の外壁５３１と、３個の隔壁５３２とを有している。外壁５３１及び隔壁５３２は、ベース５１の前側の上面から上側に突出した板状の部位である。外壁５３１と隔壁５３２との間、及び、隔壁５３２と隔壁５３２との間には、保護チューブ２の厚さに相当する間隔が空いている。外壁５３１と隔壁５３２の間の隙間、及び、隔壁５３２と隔壁５３２との間の隙間が、保護チューブ２を配置するための通路となる。また、外壁５３１と隔壁５３２は左右方向から対向するように配置されているため、外壁５３１と隔壁５３２に把持される保護チューブ２は、前後方向に沿うことになる。また、隔壁５３２同士も左右方向から対向するように配置されているため、隔壁５３２に把持される保護チューブ２も前後方向に沿うことになる。
【００５１】
外壁５３１と隔壁５３２の間、及び、隔壁５３２と隔壁５３２との間には、それぞれ、２つの保護チューブ２を上下方向に並べて把持させることが可能である（図４Ｂ参照）。つまり、チューブ把持部５３は、左右方向に４つ、上下方向に２つの保護チューブ２を２次元配置させて把持することが可能である。２つの保護チューブ２を上下方向に並べて把持させることによって、チューブ把持部５３の左右方向の寸法を小さくできる。この結果、本体５０に把持された光ファイバケーブル１と保護チューブ２との間の光ファイバ１１の湾曲を小さくでき、ケーブル把持部５２とチューブ把持部５３との間隔を狭くできるため、分岐構造体５の前後方向の寸法も小さくできる。
【００５２】
なお、仮に、外壁５３１と隔壁５３２の間や隔壁５３２と隔壁５３２との間にそれぞれ１つの保護チューブ２しか把持できないとすると、チューブ把持部５３は、８つの保護チューブ２を左右方向に並べて把持することになり、チューブ把持部５３の左右方向の寸法が大きくなってしまう。更に、この場合、一番端の光ファイバ１１の許容曲げ半径を確保するために、ケーブル把持部５２とチューブ把持部５３との前後方向の間隔を広げる必要があるため、分岐構造体５の前後方向の寸法も大きくなってしまう。
【００５３】
外壁５３１の外側には、カバー６０を取り付けるための前側引掛部５３１Ａが形成されている。外壁５３１の内側、及び、隔壁５３２の両面には、多数のチューブ用凸条５３３が形成されている。
【００５４】
チューブ用凸条５３３は、筋状の凸部であり、チューブ把持部５３から保護チューブ２が外れることを抑制するための部位である。チューブ用凸条５３３が上下方向に沿って形成されているため、チューブ把持部５３に把持された保護チューブ２が前後方向にズレ難くなる。一方、チューブ用凸条５３３が上下方向に沿って形成されているため、チューブ把持部５３の外壁５３１と隔壁５３２との間や、隔壁５３２の間へ上から保護チューブ２を差し込むことは容易である。なお、カバー６０が取り付けられることによって、チューブ把持部５３に把持された保護チューブ２が上にズレて抜けることは防止される。
【００５５】
外壁５３１のチューブ用凸条５３３の前後方向の位置と、隔壁５３２のチューブ用凸条５３３の前後方向の位置は同じになっている。このため、チューブ把持部５３のチューブ用凸条５３３が対向して配置されている。これにより、保護チューブ２が左右からチューブ用凸条５３３に挟まれて、真っ直ぐな状態でチューブ把持部５３に把持される。
【００５６】
ガイド部５４は、チューブ把持部５３に把持された保護チューブ２を案内する部位である。ガイド部５４が保護チューブ２の端部を内側に案内することによって、光ファイバ１１が許容曲げ半径以下に曲げられてしまうことが抑制される。ガイド部５４は、一対のガイド壁５４１を有する。第１実施形態では、ガイド壁５４１は、ケーブル側ガイド壁５４１Ａとチューブ側ガイド壁５４１Ｂとから構成されている。
【００５７】
ガイド壁５４１（ケーブル側ガイド壁５４１Ａ及びチューブ側ガイド壁５４１Ｂ）は、ベース５１の上面から上側に突出した板状の部位である。ガイド壁５４１の後端（ケーブル側ガイド壁５４１Ａの後端）は、ケーブル把持部５２の外壁５２１の前端と連結しており、ガイド壁５４１の前端（チューブ側ガイド壁５４１Ｂの前端）は、チューブ把持部５３の外壁５３１の後端と連結している。ケーブル把持部５２の一対の外壁５２１の間隔よりもチューブ把持部５３の一対の外壁５３１の間隔の方が広いため、一対のガイド壁５４１は、前側ほど左右方向の間隔が広がるように構成される。
【００５８】
ガイド部５４の中央部には、隙間５４２が形成されている。言い換えると、ケーブル側ガイド壁５４１Ａとチューブ側ガイド壁５４１Ｂとの間には隙間５４２が形成されている。この隙間５４２は、成端処理時にケーブル把持部５２に把持された光ファイバケーブル１から口出しされた光ファイバ１１を、本体５０の外部に一時的に逃がすための通路になる。本体５０の外部に光ファイバ１１を一時的に逃がすことによって、成端処理が容易になる。また、隙間５４２から光ファイバ１１を出すことによって、成端処理時の光ファイバ１１の損傷を抑制できる。成端処理の手順については、後述する。
【００５９】
・カバー６０
図７Ａは、カバー６０を斜め上から見た斜視図である。図７Ｂは、カバー６０を斜め下から見た斜視図である。
【００６０】
カバー６０は、本体５０に把持された光ファイバケーブル１と保護チューブ２との間の光ファイバ１１を覆い、光ファイバ１１を保護する部材である。
【００６１】
カバー６０は、分岐構造体を取り付け面に取り付けたときに、取り付け面とは反対側から光ファイバ１１を覆うように本体５０に取り付けられる。これにより、本体５０を取り付け面に取り付けた状態で作業者が成端処理できるので便利である。
【００６２】
カバー６０は、上板部６１と、側壁とを有する。カバー６０は樹脂で成型されており、カバー６０を構成する各部位（上板部６１及び側壁）は一体的に成型されている。
【００６３】
上板部６１は、本体５０に把持された光ファイバケーブル１と保護チューブ２との間の光ファイバ１１を上側から覆う部位である。上板部６１は、本体５０のベース５１と平行な板状の部位である。上板部６１の前側の上面には、トレーサマーク６１Ｃを示す凸部が形成されている。ここでは、トレーサマーク６１Ｃは、最も右側に把持される保護チューブ２の上側に位置するように、上板部６１の上面に配置されている。上板部６１の後側の下面には、ケーブル押さえ６１Ａが形成されている。ケーブル押さえ６１Ａは、上板部６１の下面から下側に突出した凸部である。ここでは、ケーブル押さえ６１Ａを構成する凸部が前後方向に延びて凸条に構成されている。ケーブル押さえ６１Ａは、本体５０に把持される光ファイバケーブル１の上側に位置するように、上板部６１の下面に配置されている。カバー６０が本体５０に取り付けられると、ケーブル押さえ６１Ａが、ケーブル把持部５２に把持された光ファイバケーブル１を上側から押さえて、光ファイバケーブル１が上方向にズレることを抑制する。上板部６１の前側の下面には、４個のチューブ押さえ６１Ｂが形成されている。チューブ押さえ６１Ｂは、上板部６１の下面から下側に突出した凸部である。ここでは、チューブ押さえ６１Ｂを構成する凸部が前後方向に延びて凸条に構成されている。４個のチューブ押さえ６１Ｂは、それぞれ、本体５０に把持される保護チューブ２の上側に位置するように、上板部６１の下面に配置されている。カバー６０が本体５０に取り付けられると、チューブ押さえ６１Ｂが、チューブ把持部５３で上下方向に並べて把持された２つの保護チューブ２を上側から押さえて、保護チューブ２が上方向にズレることを抑制する。なお、２つの保護チューブ２がチューブ把持部５３に上下方向に並べて把持されるのに対し、１つの光ファイバケーブル１がケーブル把持部５２に把持されるため、ケーブル押さえ６１Ａはチューブ押さえ６１Ｂよりも上下方向に長く形成されている。
【００６４】
側壁部６２は、本体５０に把持された光ファイバケーブル１と保護チューブ２との間の光ファイバ１１を左右方向から覆う部位である。側壁部６２は、後側側壁部６２１と、前側側壁部６２２と、中央側壁部６２３とを有する。後側側壁部６２１は、ケーブル把持部５２を左右方向から覆う部位である。後側側壁部６２１には後側窓６２１Ａが形成されている。後側窓６２１Ａは、本体５０の後側引掛部５２１Ａを引っ掛けてカバー６０を本体５０に取り付けるための開口である。後側窓６２１Ａの前後にスリットが形成されることによって、後側窓６２１Ａに後側引掛部５２１Ａを引っ掛けるときに後側側壁部６２１が変形しやすくなっている。前側側壁部６２２は、チューブ把持部５３を左右方向から覆う部位である。前側側壁部６２２には前側窓６２２Ａが形成されている。前側窓６２２Ａは、本体５０の前側引掛部５３１Ａを引っ掛けてカバー６０を本体５０に取り付けるための開口である。前側窓６２２Ａの前後にスリットが形成されることによって、前側窓６２２Ａに前側引掛部５３１Ａを引っ掛けるときに前側側壁部６２２が変形しやすくなっている。中央側壁部６２３は、ガイド壁５４１を左右方向から覆う部位である。なお、中央側壁部６２３は、ガイド壁５４１の隙間５４２を覆う機能も有する。
【００６５】
・マグネットユニット７０
図５に示すように、分岐構造体５は、マグネットユニット７０を有する。マグネットユニット７０は、金属製のキャビネット（成端箱）に分岐構造体５を吸着させるための部位である。
【００６６】
マグネットユニット７０は、マグネット７１と、マグネットベース７２とを有する。マグネットベース７２は、本体５０のベース５１との間でマグネット７１を保持するための部材である。マグネットベース７２は、マグネット収容部７２Ａと、フック７２Ｂとを有する。マグネット収容部７２Ａは、マグネット７１を収容するための部位である。フック７２Ｂは、本体５０のベース５１の縁を保持する部位である。
【００６７】
マグネットベース７２には、付勢部７２Ｃ及び貫通穴７２Ｄが更に形成されている。付勢部７２Ｃは、マグネットベース７２を本体５０のベース５１に取り付けたときに、両者が離れる方向に力を付勢する部位である。付勢部７２Ｃがマグネットベース７２と本体５０とを離す方向に力を付勢することによって、フック７２Ｂが本体５０のベース５１から外れにくくなる。貫通穴７２Ｄは、マグネットベース７２を本体５０に取り付けたまま本体５０をキャビネットの取り付け面にネジ留めするための穴である。
【００６８】
＜成端処理＞
図８は、光ファイバケーブル１の成端処理のフロー図である。図９及び図１０は、光ファイバケーブル１の成端処理の様子の概要説明図である。なお、成端処理の際には、作業者は、前述の保護チューブ２と分岐構造体５とを備えた成端処理用キットを予め用意しておく。
【００６９】
まず、作業者は、光ファイバケーブル１から光ファイバ１１を口出しする（図８のＳ１０１、図９Ａ参照）。このとき、作業者は、光ファイバケーブル１のシース１３のノッチ１３Ａを利用してシース１３を引き裂き、光ファイバケーブル１から光ファイバ１１を取り出す。作業者は、口出しされる光ファイバ１１の長さが保護チューブ２よりも５０ｍｍ程度長くなるようにシース１３を引き裂き、引き裂いたシース１３を切り落とす。
【００７０】
次に、作業者は、光ファイバケーブル１をケーブル把持部５２に把持させる（図８のＳ１０２、図９Ｂ参照）。このとき、作業者は、ケーブル把持部５２の一対の外壁５２１の間の上に光ファイバケーブル１を置き、光ファイバケーブル１を上から指で押し込んで、外壁５２１の間に光ファイバケーブル１を差し込む。ケーブル用凸条５２３が上下方向に沿って形成されているため、ケーブル把持部５２の一対の外壁５２１の間へ上から光ファイバケーブル１を差し込むことは容易である。図９Ｂでは、光ファイバケーブル１の口出し部１３Ｂがケーブル把持部５２よりも前側に位置しているが、光ファイバケーブル１の口出し部１３Ｂがケーブル把持部５２の外壁５２１に挟まれるように位置しても良い。
【００７１】
次に、作業者は、ガイド部５４の隙間５４２から光ファイバ１１を外部に逃がす（図８のＳ１０３、図９Ｂ参照）。本体５０の外部に光ファイバ１１を一時的に逃がすことによって、各光ファイバ１１に保護チューブ２を挿入する処理や（Ｓ１０４）、光ファイバ１１を挿入した保護チューブ２をチューブ把持部５３に把持させる処理（Ｓ１０５）が容易になる。
【００７２】
また、仮に光ファイバ１１がガイド壁５４１（ケーブル側ガイド壁５４１Ａ又はチューブ側ガイド壁５４１Ｂ）を乗り越えるようにして外部に出されると、光ファイバ１１に外力が加わったときに、ガイド壁５４１によって光ファイバ１１が剪断力を受けて、光ファイバ１１が損傷するおそれがある。これに対し、本実施形態では、隙間５４２から光ファイバ１１を出すことによって、光ファイバ１１がガイド壁５４１から剪断力を受けることを回避し、光ファイバ１１の損傷を回避している。
【００７３】
次に、作業者は、保護チューブ２に光ファイバ１１を挿入する（図８のＳ１０４、図９Ｃ参照）。作業者は、保護チューブ２の先から光ファイバ１１が出てくるまで、保護チューブ２に光ファイバ１１を挿入する。
【００７４】
次に、作業者は、光ファイバ１１を挿入した保護チューブ２をチューブ把持部５３に把持させる（図８のＳ１０５、図９Ｄ参照）。挿入穴２１が光ファイバ１１の直径よりも２倍の直径を有するため、この工程時に光ファイバ１１が保護チューブ内を光ファイバ１１の長手方向に沿って自由に移動することができるので、光ファイバ１１に負荷（例えば曲げなどの負荷）をかけることなく、チューブ把持部５３に把持させることができる。このとき、作業者は、チューブ把持部５３の外壁５３１と隔壁５３２の間（又は隔壁５３２と隔壁５３２の間）に保護チューブ２を置き、保護チューブ２を上から指で押し込んで、外壁５３１と隔壁５３２の間（又は隔壁５３２と隔壁５３２の間）に保護チューブ２を差し込む。チューブ用凸条５３３が上下方向に沿って形成されているため、外壁５３１と隔壁５３２の間（又は隔壁５３２と隔壁５３２の間）に保護チューブ２を差し込むことは容易である。図９Ｄでは、保護チューブ２の端部がチューブ把持部５３よりも後側に位置しているが、保護チューブ２の端部がチューブ把持部５３に挟まれるように位置しても良い。
【００７５】
保護チューブ２の端部が図９Ｄに示すよりも後側（ケーブル把持部５２の側）に寄って配置されると、保護チューブ２の端部がガイド部５４によって内側に変形することになる。つまり、ガイド部５４が保護チューブ２の端部を内側に案内する。これにより、光ファイバケーブル１の口出し部１３Ｂと保護チューブ２の端部との前後方向の間隔が短くなっても、両者の左右方向の間隔も短くなるため、光ファイバ１１が許容曲げ半径以下に曲げられてしまうことを抑制できる。
【００７６】
作業者は、他の光ファイバ１１に対しても、同様に、光ファイバ１１に保護チューブ２を挿入する処理（Ｓ１０４）と、光ファイバ１１を挿入した保護チューブ２をチューブ把持部５３に把持させる処理（Ｓ１０５）とを繰り返し行う（図１０Ａ及び図１０Ｂ参照）。このとき、作業者は、図１０Ｂに示すように、外壁５３１と隔壁５３２の間、及び、隔壁５３２と隔壁５３２との間に、それぞれ、２つの保護チューブ２を上下方向に並べて把持させる。上側の保護チューブ２をチューブ把持部５３に把持させるとき、作業者は、既に保護チューブ２の把持された外壁５３１と隔壁５３２の間（又は隔壁５３２と隔壁５３２の間）に保護チューブ２を置き、上側の保護チューブ２を上から指で押し込んで、２つの保護チューブ２を一緒に差し込む。
【００７７】
全ての光ファイバ１１に保護チューブ２を挿入し、光ファイバ１１を挿入した全ての保護チューブ２をチューブ把持部５３に把持させた後、作業者は、本体５０にカバー６０を取り付ける（図８のＳ１０６、図１０Ｃ参照）。これにより、光ファイバケーブル１の口出し部１３Ｂと保護チューブ２との間で露出していた光ファイバ１１が覆われて、光ファイバ１１が保護される。
【００７８】
なお、カバー６０が本体５０に取り付けられると、カバー６０のケーブル押さえ６１Ａ（図７Ｂ参照）が、ケーブル把持部５２に把持された光ファイバケーブル１を上側から押さえて、光ファイバケーブル１が上方向にズレにくくなる。更に、ケーブル押さえ６１Ａが光ファイバケーブル１を上側から押さえると、光ファイバケーブル１が左右方向に広がるように変形するため、ケーブル用凸条５２３が光ファイバケーブル１に食い込み、光ファイバケーブル１がケーブル把持部５２から更に抜けにくくなる。なお、ケーブル押さえ６１Ａはチューブ押さえ６１Ｂよりも上下方向に長く形成されているため、ケーブル把持部５２に把持される光ファイバケーブル１が１つだけであるが、外れにくい状態になる。
【００７９】
また、カバー６０が本体５０に取り付けられると、カバー６０のチューブ押さえ６１Ｂ（図７Ｂ参照）が、チューブ把持部５３で上下方向に並べて把持された２つの保護チューブ２を上側から押さえて、保護チューブ２が上方向にズレにくくなる。更に、チューブ押さえ６１Ｂが保護チューブ２を上側から押さえると、保護チューブ２が左右方向に広がるように変形するため、チューブ用凸条５３３が保護チューブ２に食い込み、保護チューブ２がチューブ把持部５３から更に抜けにくくなる。
【００８０】
次に、作業者は、保護チューブ２の端部においてコネクタ３を取り付ける（図８のＳ１０７、図１０Ｄ参照）。光ファイバ１１の挿入された保護チューブ２が一般的な単心インドアケーブルと同じ構造・材質であるため、保護チューブ２の端部には汎用の外被把持型コネクタを使用することができ、例えば、保護チューブ２の端部に外被把持型のＳＣコネクタが取り付けられる。なお、必ずしも、全ての保護チューブ２の端部にコネクタ３を取り付けなくても良い。コネクタ３の取り付けを保留する場合には、保護チューブ２から出ている光ファイバ１１を保護するため、粘着テープで保護キャップを取り付けると良い。
【００８１】
なお、保護チューブ２の端部に取り付けられたコネクタ３は、アダプタを介して導出コードと接続されることになる。
【００８２】
＜小括＞
上記の分岐構造体５（本体５０）は、光ファイバケーブル１を把持するためのケーブル把持部５２と、複数の保護チューブ２を把持するためのチューブ把持部５３を備えている（図６参照）。これにより、図１に示す成端処理の際に、光ファイバケーブル１の口出し部１３Ｂと保護チューブ２との間で分岐している光ファイバ１１を固定できる。
【００８３】
上記の保護チューブ２は、抗張力体であるテンションメンバ２２を有している（図３Ａ及び図３Ｂ参照）。これにより、チューブ把持部５３が保護チューブ２を把持しても、その把持力によって保護チューブ２内の光ファイバ１１に負荷がかかることを軽減できる。
【００８４】
上記の分岐構造体５（本体５０）は、チューブ把持部５３に把持される保護チューブ２の端部を内側に案内するガイド部５４を有している（図６参照）。これにより、仮に保護チューブ２の端部が図９Ｄに示すよりも後側（ケーブル把持部５２の側）に寄って配置されても、保護チューブ２の端部がガイド部５４によって内側に変形するため、光ファイバ１１の曲率半径が小さくなることを抑制できる。
【００８５】
上記のガイド部５４は、ケーブル側ガイド壁５４１Ａとチューブ側ガイド壁５４１Ｂとを有しており、ケーブル側ガイド壁５４１Ａとチューブ側ガイド壁５４１Ｂとの間に隙間５４２が形成されている（図６参照）。これにより、成端処理時に光ファイバケーブル１から口出しされた光ファイバ１１を外部に一時的に逃がすことができる（図９Ｂ参照）。この結果、成端処理が容易になるとともに、成端処理時の光ファイバ１１の損失を抑制できる。
【００８６】
上記のケーブル把持部５２は、上下方向（光ファイバケーブル１の方向と垂直な方向）に沿うケーブル用凸条５２３を有するとともに、上から（ケーブル用凸条５２３に沿う方向から）光ファイバケーブル１を差し込めるように構成されている。これにより、把持された光ファイバケーブル１が抜けにくい構造であるにもかかわらず、光ファイバケーブル１をケーブル把持部５２に差し込むことは容易である。
【００８７】
また、上記のチューブ把持部５３は、上下方向（保護チューブ２の方向と垂直な方向）に沿うチューブ用凸条５３３を有するとともに、上から（チューブ用凸条５３３に沿う方向から）保護チューブ２を差し込めるように構成されている。これにより、把持された保護チューブ２が抜けにくい構造であるにもかかわらず、保護チューブ２をチューブ把持部５３に差し込むことは容易である。
【００８８】
上記のチューブ把持部５３は、外壁５３１と隔壁５３２の間、及び、隔壁５３２と隔壁５３２との間に、それぞれ２つの保護チューブ２を並べて把持できる。つまり、チューブ把持部５３は、２次元的に保護チューブ２を並べて把持できるように構成されている。これにより、分岐構造体５の左右方向の寸法を小さくできるだけでなく、前後方向の寸法を小さくでき、分岐構造体５の小型化が可能になる。
【００８９】
上記の分岐構造体５は、ケーブル把持部５２とチューブ把持部５３が設けられた側と反対側にマグネット７１を備えている。これにより、金属製のキャビネット（成端箱）に分岐構造体５を吸着させることができる。
【００９０】
また、上記の分岐構造体５は、光ファイバケーブル１の口出し部１３Ｂと保護チューブ２との間の光ファイバ１１を覆うためのカバー６０を備えている。これにより、光ファイバ１１が保護される。
【００９１】
また、上記の成端処理（成端方法）によれば、複数の光ファイバ１１を含む光ファイバケーブル１から光ファイバ１１を口出しする工程と（Ｓ１０１）、ケーブル把持部５２に光ファイバケーブル１を把持させる工程と（Ｓ１０２）、抗張力体を有する保護チューブ２の挿入穴２１に光ファイバ１１を挿入する工程と（Ｓ１０４）、光ファイバ１１を挿入した保護チューブ２をチューブ把持部５３に複数把持させる工程と（Ｓ１０５）、チューブ把持部５３とは逆側の保護チューブ２の端部にコネクタ３を取り付ける工程と（Ｓ１０７）を有する。このような成端処理によれば、光ファイバ１１を融着接続する箇所がないので融着トレイが不要になり、また、接続損失を抑制できるとともに、分岐している光ファイバ１１を分岐構造体５で固定できる。
【００９２】
＝＝＝第２実施形態＝＝＝
図１１は、第２実施形態の分岐構造体５の本体５０の斜視図である。第２実施形態の本体５０は、ガイド部５４に隙間５４２が形成されていない点で、第１実施形態の本体５０（図６参照）と異なっている。
【００９３】
第２実施形態の本体５０も、第１実施形態の本体５０と同様に、光ファイバケーブル１を把持するためのケーブル把持部５２と、複数の保護チューブ２を把持するためのチューブ把持部５３を備えている。これにより、図１に示す成端処理の際に、光ファイバケーブル１の口出し部１３Ｂと保護チューブ２との間で分岐している光ファイバ１１を固定できる。
【００９４】
但し、第２実施形態ではガイド部５４に隙間５４２が無いため、成端処理し易いように光ファイバ１１がガイド壁５４１を乗り越えるようにして光ファイバ１１を外部に逃がすと、光ファイバ１１に外力が加わったときにガイド壁５４１によって光ファイバ１１が剪断力を受けやすく、光ファイバ１１が損傷しやすい。その代わりに、第２実施形態では、ガイド部５４に隙間５４２を形成しないで済むため、第１実施形態に比べて加工が容易である。
【００９５】
＝＝＝第３実施形態＝＝＝
図１２は、第３実施形態の分岐構造体５の本体５０の斜視図である。
【００９６】
第３実施形態では、ケーブル把持部５２に光ファイバケーブル１を押し込むためのケーブル用凹部５２５が形成されている。ケーブル用凹部５２５は、ケーブル把持部５２の外壁５２１の上部に形成された凹状の湾曲面である。凹状の湾曲面は、指先の腹面に合わせた滑らかな曲面になっている。ケーブル把持部５２にケーブル用凹部５２５が形成されることによって、作業者が光ファイバケーブル１をケーブル把持部５２の奥まで差し込み易くなる。
【００９７】
また、第３実施形態では、チューブ把持部５３に保護チューブ２を押し込むためのチューブ用凹部５３５が形成されている。チューブ用凹部５３５は、チューブ把持部５３の外壁５３１及び隔壁５３２の上部に形成された凹状の湾曲面である。この凹状の湾曲面も、指先の腹面に合わせた滑らかな曲面になっている。チューブ把持部５３にチューブ用凹部５３５が形成されることによって、作業者が保護チューブ２をチューブ把持部５３の奥まで差し込みやすくなる。特に、上下に２つの保護チューブ２を並べてチューブ把持部５３に把持させるときに、２つの保護チューブ２を奥まで差し込みやすくなる。
【００９８】
なお、ケーブル把持部５２とチューブ把持部５３の両方に凹部を形成するのではなく、どちらか一方に凹部を形成しても良い。
【００９９】
＝＝＝第４実施形態＝＝＝
第１実施形態では、分岐構造体５がカバー６０を有していた。但し、分岐構造体５が本体５０のみから構成されて、カバー６０を有していなくても良い。
【０１００】
図１３は、第４実施形態の分岐構造体５（本体５０）の斜視図である。
【０１０１】
分岐構造体５を本体５０のみで構成する場合、単に第１実施形態のカバー６０を無くしただけの構造では、光ファイバ１１が外部に露出してしまう。そこで、第４実施形態では、分岐構造体５（本体５０）をこれまでとは上下を逆にして取り付け面にネジ留めを行う。これにより、分岐構造体５（本体５０）とキャビネットの取り付け面との間で光ファイバケーブル１や保護チューブ２が挟まれて配置され、光ファイバ１１が外部に露出することを回避できる。
【０１０２】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１０３】
＜チューブ把持部について＞
前述のチューブ把持部５３は、保護チューブ２を上下方向に２つ並べて把持することが可能に構成されていた。但し、チューブ把持部５３は、このような構成に限られるものではない。３以上の保護チューブ２を上下方向に並べて把持しても良い。また、上下方向には保護チューブを並べずに、左右方向に複数の保護チューブを並べて把持しても良い。この場合、左右方向のみに複数の保護チューブを並べて把持することによって、前後左右方向の長さは大きくなったとしても、上下方向（厚さ方向）の長さを小さくすることができるため、より薄い分岐構造体５を実現することができる。
【０１０４】
＜ガイド部について＞
前述の実施形態によれば、本体５０にガイド部５４が形成されていた。但し、ガイド部５４を設けなくても良い。ガイド部５４を設けない場合、これまでに説明した実施形態と比べて加工が最も容易であり、ガイド壁によって光ファイバ１１が剪断力を受ける心配も無いが、光ファイバ１１が許容曲げ半径以下に曲げられやすい。
【０１０５】
＜凸条について＞
前述の実施形態によれば、ケーブル把持部５２にケーブル用凸条５２３が設けられていた。但し、ケーブル把持部５２にケーブル用凸条５２３を設けなくても良い。同様に、チューブ把持部５３にチューブ用凸条５３３が設けられているが、チューブ把持部５３にチューブ用凸条５３３を設けなくても良い。また、ケーブル把持部５２及びチューブ把持部５３のどちらか一方だけに凸条を設けても良い。
【０１０６】
前述の実施形態によれば、ケーブル用凸条５２３及びチューブ用凸条５３３を上下方向に沿って形成しているが、これらの凸条を他の方向に沿って形成しても良い。また、筋状の凸条の代わりに、点状の凸部を形成しても良い。
【０１０７】
＜保護チューブについて＞
前述の実施形態によれば、保護チューブ２はテンションメンバ２２を有していた。但し、保護チューブ２に挿入された光ファイバ１１に負荷がかかる懸念が無い状況下などであれば、テンションメンバ１２が無くても良い。
【符号の説明】
【０１０８】
１  光ファイバケーブル、１１  光ファイバ、
１２  テンションメンバ（抗張力体）、１３  シース、
１３Ａ  ノッチ、１３Ｂ  口出し部、
２  保護チューブ、２１  挿入穴、
２２  テンションメンバ（抗張力体）、２３  外被、２３Ａ  ノッチ、
３  コネクタ、５  分岐構造体、
５０  本体、５１  ベース、
５２  ケーブル把持部、５２１  外壁、５２１Ａ  後側引掛部、
５２３  ケーブル用凸条、５２５  ケーブル用凹部、
５３  チューブ把持部、５３１  外壁、５３１Ａ  前側引掛部、
５３２  隔壁、５３３  チューブ用凸条、５３５  チューブ用凹部、
５４  ガイド部、５４１  ガイド壁、
５４１Ａ  ケーブル側ガイド壁、５４１Ｂ  チューブ側ガイド壁、
５４２  隙間、
６０  カバー、６１  上板部、
６１Ａ  ケーブル押さえ、６１Ｂ  チューブ押さえ、６１Ｃ  トレーサマーク、
６２  側壁部、６２１  後側側壁部、６２１Ａ  後側窓、
６２２  前側側壁部、６２２Ａ  前側窓、６２３  中央側壁部、
７０  マグネットユニット、７１  マグネット、
７２  マグネットベース、７２Ａ  マグネット収容部、
７２Ｂ  フック、７２Ｃ  付勢部、７２Ｄ  貫通穴
【図１】
2014126667.tif 000003
【図２】
2014126667.tif 000004
【図３】
2014126667.tif 000005
【図４】
2014126667.tif 000006
【図５】
2014126667.tif 000007
【図６】
2014126667.tif 000008
【図７】
2014126667.tif 000009
【図８】
2014126667.tif 000010
【図９】
2014126667.tif 000011
【図１０】
2014126667.tif 000012
【図１１】
2014126667.tif 000013
【図１２】
2014126667.tif 000014
【図１３】
2014126667.tif 000015